(57)【要約】【課題】いわゆるダブルロック式の包装箱において、小さな力でも容易に蓋部を開けることができ、高齢者等の力の弱い者でも容易に蓋部を開けることができる包装箱を提供する。【解決手段】揺動片１８は、揺動片本体１９と、揺動片突出部２２とを有し、揺動片突出部２２は、揺動片突出部本体部２４と揺動片突出部先端部２６とにより二段に突出した形状となっている。また、蓋部４６における折曲片５４には、揺動片突出部先端部２６が嵌合する切欠部Ｋ７が形成されている。揺動片１８の上端を正面側に揺動させることにより揺動片突出部２２がその下端が背面側に揺動し、揺動片突出部本体部２４が切欠部Ｋ７に嵌合して折曲片５４を押し上げる。【選択図】図４
2011111204.tif 000002
【特許請求の範囲】
【請求項１】
周壁の正面部の上端から一対の切込みである第１切込み群を形成することにより設けられた揺動片と、揺動片の先端に折れ線を介して連設された差込み片と、周壁の背面部の上端から連設された蓋板部と、蓋板部の先端に折れ線を介して連設された折曲片と、蓋板部と折曲片の間の位置に設けられ差込み片を差し込むための差込み穴とを有する包装箱において、
揺動片は、
第１切込み群の各切込み間に設けられた揺動片本体で、揺動片本体の下端の一部が正面部における揺動片以外の部分である正面部本体と連設された揺動片本体と、
揺動片本体の下端から連設された揺動片突出部で、正面部に揺動片突出部形成用の切込みを形成することにより形成された揺動片突出部とを有し、
揺動片の上端を正面側に移動させることにより、揺動片が第１切込み群の各切込みと揺動片突出部形成用の切込みの端部間に横方向に設けられる折れ線を中心に揺動して、揺動片突出部が折曲片を押し上げることを特徴とする包装箱。
【請求項２】
揺動片突出部形成用の切込みが、第１切込み群の切込みの下端から横方向の内側の位置から下方に形成され、間隔を介して形成された一対の切込みである第２切込み群と、第２切込み群の各切込みの下端からそれぞれ横方向に内側に同一直線上をなすように形成された一対の切込みである第３切込み群と、第３切込み群の各切込みの内側の端部間に下方に突出するように形成された突出状切込みとを有し、
揺動片突出部は、揺動片本体部の下端から連設され第２切込み群と第３切込み群に囲まれた揺動片突出部本体部と、突出状切込みにより揺動片突出部本体部から下方に突出した揺動片突出部先端部と、を有し、
折曲片の先端には、揺動片突出部先端部が嵌合し揺動片本体部が嵌合しない切欠部が形成されていることを特徴とする請求項１に記載の包装箱。
【請求項３】
折曲片を正面部の内側に接するようにして蓋板部を閉じるとともに、差込み片を差込み穴に挿通することにより蓋板部の閉状態をロックした状態の場合に、揺動片突出部本体部の下端は、折曲片の蓋板部とは反対側の辺部で切欠部形成位置以外の辺部よりも上側に位置し、揺動片突出部先端部の下端が、折曲片に形成された切欠部の奥側の端部より下方位置にあることを特徴とする請求項２に記載の包装箱。
【請求項４】
突出状切込みが、略円弧状であることを特徴とする請求項２又は３に記載の包装箱。
【請求項５】
第１切込み群を構成する一対の切込みと第３切込み群を構成する一対の切込みとが正面部の上端の辺部に対して直角に互いに平行に形成されていることを特徴とする請求項１又は２又は３又は４に記載の包装箱。
【発明の詳細な説明】
【技術分野】
【０００１】
本発明は、包装箱に関するものであり、特に、包装箱の蓋を閉状態でロックするロック機構に関するものである。
【背景技術】
【０００２】
従来より、図１１〜図１４に示す構成のいわゆるダブルロック式の包装箱１０５が存在する。この包装箱１０５は、右側面部１１２と、正面部１１４と、左側面部１２４と、背面部１２６と、糊代部１２８とからなる側面部１１０と、フラップ部１４２、１４４と、蓋部１４６とからなる上面部１４０と、片部１６２〜１６８からなる底面部１６０により構成され、正面部１１４は、上端に切欠部を有する正面部本体１１６と、該切欠部内に設けられ横方向の折れ線を中心に揺動する揺動片１１８とを有するとともに、揺動片１１８の先端には、差込み片１２８が折れ線を介して連設され、また、蓋部１４６は、背面部１２６の上端から連設された蓋板１４８と折曲片１５４とを有し、蓋板１４８と折曲片１５４の間の位置には、切込みＫ１５による差込み穴１５６が形成されている。
【０００３】
そして、蓋部１４６を閉状態でロックするには、折曲片１５４を正面部１１４の内側に接するようにして蓋部１４６を閉じるとともに、差込み片１２８を切込みＫ１５により形成された差込み穴１５６に挿通する。蓋部１４６を閉状態でロックした状態は、図１１に示すようになり、折曲片１５４は、その全体が正面部１１４と揺動片１１８の内側に隠れた状態となっている。このように、差込み片１２８を差込み穴１５６に挿通できる程度に蓋部１４６が閉じた状態、つまり、折曲片１５４の全体が正面部１１４と揺動片１１８の内側に隠れた状態を「蓋部１４６が完全に閉じた状態」とする。
【０００４】
蓋部１４６が閉状態でロックされた包装箱１０５において蓋部を開けるには、揺動片１１８がその上端に有する突出部１２０に指を当てて揺動片１１８を外側に揺動させて差込み片１２８を差込み穴１５６から引き出す。図１４は、差込み片１２８を引き出した状態を示している。差込み片１２８を差込み穴１５６から引き出したら、蓋部１４６を上方に回動させて蓋部１４６を開状態とするが、その際、切込みＫ１５により蓋板１４８の折曲片１５４側の端部に突出して形成された突出部１５０や半円状の開口部Ｋ１６の位置に指を係止させて、蓋部１４６の正面側の端部を上方に引き出して、図１２に示すような開状態とする。
【０００５】
なお、出願人は、先行技術文献として、特許文献１、特許文献２に示す文献を知得している。
【先行技術文献】
【特許文献】
【０００６】
【特許文献１】特開２００９−１３７６０６号公報
【特許文献２】特開２００７−１６８８６８号公報
【発明の概要】
【発明が解決しようとする課題】
【０００７】
しかし、図１１〜図１４に示す従来のダブルロック式の包装箱においては、差込み片１２８を差込み穴１５６から引き出した状態でも、蓋部１４６は、閉状態でロックされた状態と変わらず閉じたままであり、折曲片１５４はその全体が依然として正面部１１４と揺動片１１８の内側に隠れた状態となっている。
【０００８】
従って、蓋部１４６を引き出すには、蓋部１４６が完全に閉じた状態から引き出す必要があり、特に、折曲片１５４が正面部１１４とフラップ部１４２、１４４に挟まれた状態となっているので、引き出すのに大きな力が必要となり、力の弱い高齢者や障害者がダブルロック式の包装箱を容易に開けることができなかった。また、爪の長い者も爪を突出部１５２に係止させて蓋部１４６を引き上げようとすると、大きな力が必要であるために爪を痛めてしまうという問題があった。
【０００９】
そこで、本特許が解決しようとする問題点は、蓋板と折曲片とからなる蓋部を閉じて、その後、揺動片の先端に連設された差込み片を蓋板と折曲片との間の差込み穴に挿通することにより蓋部の閉状態をロックするいわゆるダブルロック式の包装箱において、小さな力でも容易に蓋部を開けることができ、高齢者等の力の弱い者でも容易に蓋部を開けることができる包装箱を提供することである。
【課題を解決するための手段】
【００１０】
本発明は上記問題点を解決するために創作されたものであって、第１には、周壁の正面部の上端から一対の切込みである第１切込み群を形成することにより設けられた揺動片と、揺動片の先端に折れ線を介して連設された差込み片と、周壁の背面部の上端から連設された蓋板部と、蓋板部の先端に折れ線を介して連設された折曲片と、蓋板部と折曲片の間の位置に設けられ差込み片を差し込むための差込み穴とを有する包装箱において、揺動片は、第１切込み群の各切込み間に設けられた揺動片本体で、揺動片本体の下端の一部が正面部における揺動片以外の部分である正面部本体と連設された揺動片本体と、揺動片本体の下端から連設された揺動片突出部で、正面部に揺動片突出部形成用の切込みを形成することにより形成された揺動片突出部とを有し、揺動片の上端を正面側に移動させることにより、揺動片が第１切込み群の各切込みと揺動片突出部形成用の切込みの端部間に横方向に設けられる折れ線を中心に揺動して、揺動片突出部が折曲片を押し上げることを特徴とする。
【００１１】
この第１の構成の包装箱によれば、揺動片を揺動させることにより揺動片突出部が折曲片を押し上げるので、蓋板部が回動して、蓋板部と折曲片とからなる蓋部を一部開いた状態とすることができ、その後は、蓋部を手で回動させることにより蓋部を開いた状態とすることができる。蓋部が一部開いた状態から蓋部を回動させればよいので、小さな力で蓋部を開けることができ、高齢者等の力の弱い者でも容易に蓋部を開けることができる。
【００１２】
また、第２には、上記第１の構成において、揺動片突出部形成用の切込みが、第１切込み群の切込みの下端から横方向の内側の位置から下方に形成され、間隔を介して形成された一対の切込みである第２切込み群と、第２切込み群の各切込みの下端からそれぞれ横方向に内側に同一直線上をなすように形成された一対の切込みである第３切込み群と、第３切込み群の各切込みの内側の端部間に下方に突出するように形成された突出状切込みとを有し、揺動片突出部は、揺動片本体部の下端から連設され第２切込み群と第３切込み群に囲まれた揺動片突出部本体部と、突出状切込みにより揺動片突出部本体部から下方に突出した揺動片突出部先端部と、を有し、折曲片の先端には、揺動片突出部先端部が嵌合し揺動片本体部が嵌合しない切欠部が形成されていることを特徴とする。
【００１３】
よって、揺動片突出部本体部の長さ分のストロークで折曲片を押し上げるので、揺動片を最初の状態から９０度よりも大きく回転させることにより、該ストロークで折曲片の下端は折れ揺動片の回転中心である折れ線の位置よりも上方に押し上げることができ、折曲片を大きく押し上げることができ、より小さな力で蓋部を開けることができる。
【００１４】
また、第３には、上記第２の構成において、折曲片を正面部の内側に接するようにして蓋板部を閉じるとともに、差込み片を差込み穴に挿通することにより蓋板部の閉状態をロックした状態の場合に、揺動片突出部本体部の下端は、折曲片の蓋板部とは反対側の辺部で切欠部形成位置以外の辺部よりも上側に位置し、揺動片突出部先端部の下端が、折曲片に形成された切欠部の奥側の端部より下方位置にあることを特徴とする。
【００１５】
これにより、揺動片を揺動させた際に、揺動片突出部本体部が折曲片を押すことができ、揺動片突出部先端部が折曲片の切欠部に嵌合することができる。
【００１６】
また、第４には、上記第２又は第３の構成において、突出状切込みが、略円弧状であることを特徴とする。
【００１７】
また、第５には、前記第１から第４までのいずれかの構成において、第１切込み群を構成する一対の切込みと第３切込み群を構成する一対の切込みとが正面部の上端の辺部に対して直角に互いに平行に形成されていることを特徴とする。
【００１８】
なお、以下の構成としてもよい。すなわち、第６には、周壁の正面部の上端から下方に一対の切込みである第１切込み群を形成することにより設けられた揺動片と、揺動片の先端に折れ線を介して連設された差込み片と、周壁の背面部の上端から連設された蓋板部と、蓋板部の先端に折れ線を介して連設された折曲片と、蓋板部と折曲片の間の位置に設けられ差込み片を差し込むための差込み穴とを有する包装箱において、揺動片は、第１切込み群の各切込み間に設けられた略方形状の揺動片本体と、揺動片本体の下端から連設された揺動片突出部で、正面部に揺動片突出部形成用の切込みで、第１切込み群の切込みの下端から横方向の内側の位置から下方に形成され、間隔を介して形成された一対の切込みである第２切込み群と、第２切込み群の各切込みの下端からそれぞれ横方向に内側に同一直線上をなすように形成された一対の切込みである第３切込み群と、第３切込み群の各切込みの内側の端部間に下方に突出するように形成された突出状切込みとからなる揺動片突出部形成用の切込みを形成することにより形成され、揺動片本体部の下端から連設され第２切込み群と第３切込み群に囲まれた横長の略長方形状の揺動片突出部本体部と、突出状切込みにより揺動片突出部本体部から下方に突出した揺動片突出部先端部とを有する揺動片突出部とを有し、揺動片本体は、第１切込み群の各切込みの下端と揺動片突出部形成用の切込みの間の領域を介して正面部における揺動片以外の部分である正面部本体と連設され、折曲片の先端には、揺動片突出部先端部が嵌合し揺動片本体部が嵌合しない切欠部が形成され、揺動片の上端を正面側に移動させることにより、揺動片が第１切込み群の各切込みと揺動片突出部形成用の切込みの端部間に横方向に設けられる折れ線を中心に揺動して、揺動片突出部の揺動片突出部先端部が折曲片の切欠部に嵌合して折曲片を押し上げることを特徴とする。
【００１９】
この第６の構成の包装箱によれば、揺動片を揺動させることにより揺動片突出部が折曲片を押し上げるので、蓋板部が回動して、蓋板部と折曲片とからなる蓋部を一部開いた状態とすることができ、その後は、蓋部を手で回動させることにより蓋部を開いた状態とすることができる。蓋部が一部開いた状態から蓋部を回動させればよいので、小さな力で蓋部を開けることができ、高齢者等の力の弱い者でも容易に蓋部を開けることができる。特に、揺動片突出部本体部の長さ分のストロークで折曲片を押し上げるので、揺動片を最初の状態から９０度よりも大きく回転させることにより、該ストロークで折曲片の下端は折れ揺動片の回転中心である折れ線の位置よりも上方に押し上げることができ、折曲片を大きく押し上げることができ、より小さな力で蓋部を開けることができる。
【００２０】
また、第７には、上記第６の構成において、折曲片を正面部の内側に接するようにして蓋板部を閉じるとともに、差込み片を差込み穴に挿通することにより蓋板部の閉状態をロックした状態の場合に、揺動片突出部本体部の下端は、折曲片の蓋板部とは反対側の辺部で切欠部形成位置以外の辺部よりも上側に位置し、揺動片突出部先端部の下端が、折曲片に形成された切欠部の奥側の端部より下方位置にあることを特徴とする。
【００２１】
これにより、揺動片を揺動させた際に、揺動片突出部本体部が折曲片を押すことができ、揺動片突出部先端部が折曲片の切欠部に嵌合することができる。
【００２２】
また、第８には、上記第６又は第７の構成において、突出状切込みが、略円弧状であることを特徴とする。
【発明の効果】
【００２３】
本発明に基づく包装箱によれば、揺動片を揺動させることにより揺動片突出部が折曲片を押し上げるので、蓋板部が回動して、蓋板部と折曲片とからなる蓋部を一部開いた状態とすることができ、その後は、蓋部を手で回動させることにより蓋部を開いた状態とすることができる。蓋部が一部開いた状態から蓋部を回動させればよいので、小さな力で蓋部を開けることができ、高齢者等の力の弱い者でも容易に蓋部を開けることができる。
【図面の簡単な説明】
【００２４】
【図１】実施例に基づく包装箱の前方斜視図である。
【図２】実施例に基づく包装箱の後方斜視図である。
【図３】実施例に基づく包装箱の蓋部を開いた状態の前方斜視図である。
【図４】実施例に基づく包装箱の展開図である。
【図５】図４における要部拡大図である。
【図６】図４における要部拡大図である。
【図７】実施例に基づく包装箱の要部正面図であり、揺動片と折曲片の位置関係を説明するための要部正面図である。
【図８】実施例に基づく包装箱の使用状態を示す前方斜視図である。
【図９】実施例に基づく包装箱の使用状態を示す前方斜視図である。
【図１０】実施例に基づく包装箱の使用状態を示す説明図である。
【図１１】従来の包装箱の前方斜視図である。
【図１２】従来の包装箱の蓋部を開いた状態の前方斜視図である。
【図１３】従来の包装箱の展開図である。
【図１４】従来の包装箱の使用状態を示す前方斜視図である。
【発明を実施するための形態】
【００２５】
本特許においては、蓋板と折曲片とからなる蓋部を閉じて、その後、揺動片の先端に連設された差込み片を蓋板と折曲片との間の差込み穴に挿通することにより蓋部の閉状態をロックするいわゆるダブルロック式の包装箱において、小さな力でも容易に蓋部を開けることができ、高齢者等の力の弱い者でも容易に蓋部を開けることができる包装箱を提供するという目的を以下のようにして実現した。
【００２６】
本特許に基づく包装箱５は、図１〜図７に示すように構成され、スリーブ状部１０と、上面部４０と、底面部６０とを有し、１枚のシート状のブランク（具体的には、段ボール材（好適には、薄型段ボール材）又は厚紙）により形成されている。
【００２７】
スリーブ状部１０は、包装箱５の周壁（側面としてもよい）を構成し、方形状の板状の右側面部１２と、右側面部１２の正面側の辺部から折れ線を介して連設された正面部１４と、正面部１４の左側面側の辺部から折れ線を介して連設された方形状の板状の左側面部３０と、左側面部３０の背面側の辺部から折れ線を介して連設され方形状の板状の背面部３２と、背面部３２の右側面側の辺部から折れ線を介して連設された糊代部３４と、差込み片２８とを有している。
【００２８】
ここで、正面部１４は、正面部本体１６と、揺動片１８とを有している。正面部本体１６は、方形状の上端の左右方向の中央位置に切欠部を有する形状を有している。この切欠部の形状は、後述する揺動片１８と略同一の形状となっている。
【００２９】
また、揺動片１８は、正面部本体１６に形成された切欠部内に折れ線及び切込みを介して形成され、揺動片本体１９と、揺動片本体１９の下端から連設された揺動片突出部２２とを有している。
【００３０】
揺動片本体１９は、略方形状を呈し、左右両側においては、互いに平行な切込みＫ１、Ｋ２を介して正面部本体１６と隣接し、揺動片本体１９の下端においては、両側が左右方向の折れ線Ｃ１、Ｃ２を介して正面部本体１６と連設され、折れ線Ｃ１と折れ線Ｃ２間の領域には、揺動片突出部２２が連設されている。また、揺動片１８の上端においては、折れ線Ｃ３、Ｃ４と切込みＫ４とを介して差込み片２８と連設されている。
【００３１】
ここで、切込みＫ１、Ｋ２は、上下方向（正面部本体１６の上端辺に対して直角な方向）に形成されている。この切込みＫ１、Ｋ２は、第１切込み群に当たる。折れ線Ｃ１、Ｃ２は、左右方向（正面部本体１６の上端辺に対して平行な方向）に形成されている。折れ線Ｃ１と折れ線Ｃ２とは、同一直線上に配設され、折れ線Ｃ１の長さと折れ線Ｃ２の長さは略同一となっている。折れ線Ｃ１は、切込みＫ１の下端から切込みＫ１に対して直角方向に連設され、折れ線Ｃ２は切込みＫ２の下端から切込みＫ２に対して直角方向に連設されている。
【００３２】
また、揺動片本体１９と差込み片２８の間の位置には、略コ字状の切込みＫ４が形成され、これにより、揺動片本体１９は、先端に突出部２０を有している。揺動片本体１９における突出部２０以外の領域（つまり、方形状の領域）が本体部２１となる。なお、切込みＫ４は、左右方向に形成された第１切込みＫ４ａと該第１切込みＫ４ａの両側の端部から略直角に短く形成された第２切込みＫ４ｂ、Ｋ４ｃとから構成されているが、折れ線Ｃ３、Ｃ４は、第２切込みＫ４ｂ、Ｋ４ｃの第１切込みＫ４ａとは反対側の端部に連設されている。第２切込みＫ４ｂ、Ｋ４ｃは、第１切込みＫ４ａに対して鈍角をなしている。
【００３３】
揺動片突出部２２は、揺動片本体１９の下端の左右方向における中央位置から連設された揺動片突出部本体部２４と、揺動片突出部本体部２４の下端の左右方向における中央位置から連設された揺動片突出部先端部２６とを有している。この揺動片突出部２２は、切込み（揺動片突出部形成用の切込み）Ｋ３を介して正面部本体１６と隣接している。この切込みＫ３は、上下方向（正面部本体１６の上辺と直角な方向）に形成され互いに平行に形成された切込みＫ３ａ、Ｋ３ｂと、切込みＫ３ａの下端から内側（切込みＫ３ｂ側）に左右方向（正面部本体１６の上辺と平行な方向）に形成された切込みＫ３ｃと、切込みＫ３ｂの下端から内側（切込みＫ３ａ側）に左右方向に形成された切込みＫ３ｄと、切込みＫ３ｃと切込みＫ３ｄ間に下向きの円弧状に形成された切込み（突出状切込み）Ｋ３ｅとから構成されている。切込みＫ３ｃと切込みＫ３ｄとは同一直線上に形成され、切込みＫ３ａと切込みＫ３ｂとは略同一の長さに形成され、切込みＫ３ｃと切込みＫ３ｄとは略同一の長さに形成されている。また、切込みＫ３ａは折れ線Ｃ１の内側の端部から連設され、切込みＫ３ｂは折れ線Ｃ２の内側の端部から連設されている。切込みＫ３ａは折れ線Ｃ１に対して直角方向に形成され、切込みＫ３ｂは折れ線Ｃ２に対して直角方向に形成され、切込みＫ３ｃは切込みＫ３ａに対して直角方向に形成され、切込みＫ３ｄは切込みＫ３ｂに対して直角方向に形成されている。切込みＫ３は、切込みＫ３ａの上端から切込みＫ３ｂの上端まで連続して形成されている。切込みＫ３ａと切込みＫ３ｂは、第２切込み群に当たる。切込み群Ｋ３ｃと切込み群Ｋ３ｄとは、第３切込み群に当たる。
【００３４】
揺動片突出部本体部２４は、左右方向に細長（横長としてもよい）の略長方形状（長方形状としてもよい）の長方形状を呈し、その両側の辺部は、切込みＫ３ａ、Ｋ３ｂを介して正面部本体１６と隣接し、下端における両側の辺部は、切込みＫ３ｃ、Ｋ３ｄを介して正面部本体１６と隣接している。揺動片突出部本体部２４は、揺動片本体１９の下端から揺動片本体１９の両側から折れ線Ｃ１、Ｃ２の長さ分だけ距離を介して領域から連設されている。これにより、揺動片突出部本体部２４は、折れ線Ｃ１、Ｃ２を介して正面部本体１６と連設されている。
【００３５】
また、揺動片突出部先端部２６は、揺動片突出部本体部２４の下端と円弧状の辺部とで囲まれた形状を呈し、該円弧状の辺部は、切込みＫ３ｅを介して正面部本体１６と隣接している。以上のように、揺動片突出部２２は、揺動片突出部本体部２４と揺動片突出部先端部２６によって二段に突出した形状となっている。
【００３６】
また、差込み片２８は、揺動片１８の先端（折れ線Ｃ１、Ｃ２とは反対側の端部）から左右方向の折れ線Ｃ３、Ｃ４を介して連設され、略方形状（方形状の先端の両側の角部にアールを形成した形状）を呈している。この差込み片２８の両側の辺部は、切込みＫ１、Ｋ２の延長線上に形成されている。また、図４、図５に示す展開状態において、折れ線Ｃ３、Ｃ４は、正面部本体１６の上端の辺部と同一直線上に形成されている。
【００３７】
また、左側面部３０は、右側面部１２と略同大同形状に形成されている。また、背面部３２は、正面部１４と略同大同形状に形成されている。また、糊代部３４は、帯状の台形形状に形成されている。糊代部３４は、右側面部１２の内側の面に接着されている。
【００３８】
このスリーブ状部１０は、糊代部３４を右側面部１２に接着させることにより、筒状に形成される。
【００３９】
次に、上面部４０は、フラップ部４２と、フラップ部４４と、蓋部４６とを有している。
【００４０】
フラップ部４２は、右側面部１２の上端から折れ線を介して連設され、略方形状を呈している。フラップ部４２の右側面部１２の上端から反対側の辺部までの長さは、正面部１４や背面部３２の左右方向の長さの１／２以下の長さに形成されている。
【００４１】
また、フラップ部４４は、左側面部３０の上端から折れ線を介して連設され、略方形状を呈している。フラップ部４４の左側面部３０の上端から反対側の辺部までの長さは、正面部１４や背面部３２の左右方向の長さの１／２以下の長さに形成されている。
【００４２】
また、蓋部４６は、背面部３２の上端の辺部から折れ線を介して連設され、背面部３２の上端の辺部から折れ線を介して連設された蓋板部４８と、蓋板部４８の背面部３２とは反対側の辺部から連設された折曲片５４とを有している。
【００４３】
蓋板部４８は、略方形状の板状を呈し、左右方向の長さは背面部３２の左右方向の長さと略同一であり、背面部３２の上端の辺部から反対側の辺部（折れ線Ｃ５、Ｃ６）までの長さは、右側面部１２や左側面部３０の横方向の長さと略同一となっている。
【００４４】
また、折曲片５４は、蓋板部４８の先端（背面部３２の上端の辺部とは反対側の端部）から左右方向の折れ線Ｃ５、Ｃ６を介して連設され、略横長長方形状の先端の両側の角部にアールを形成した形状となっている。折れ線Ｃ５と折れ線Ｃ６とは、同一直線上に形成されている。
【００４５】
また、蓋板部４８と折曲片５４の間の位置には、略コ字状の切込みＫ５が形成され、これにより、蓋板部４８は先端に突出部５０を有している。蓋板部４８における突出部５０以外の領域（つまり、方形状の領域）が本体部５２となる。なお、切込みＫ５は、左右方向に形成された第１切込みＫ５ａと該第１切込みＫ５ａの両側の端部から略直角に短く形成された第２切込みＫ５ｂ、Ｋ５ｃとから構成されているが、折れ線Ｃ５、Ｃ６は、第２切込みＫ５ｂ、Ｋ５ｃの第１切込みＫ５ａとは反対側の端部に連設されている。第２切込みＫ５ｂ、Ｋ５ｃは、第１切込みＫ５ａに対して鈍角をなしている。この切込みＫ５が形成されることにより、折曲片５４を蓋板部４８に対して折り曲げた際には、差込み片２８を差し込むための差込み穴５６が形成される。また、突出部５０から本体部５２にかけて、切込みＫ５における左右方向切込みに接する半円状の開口部Ｋ６が形成され、折曲片５４を蓋板部５２に対して折り曲げた際には、蓋板部４８の端部に半円状の切欠部が形成される。
【００４６】
また、折曲片５４は、横長の略方形状（方形状の先端の両側の角部にアールを形成した形状）を呈し、蓋板部４８とは反対側の辺部の左右方向の中央に台形状の切欠部Ｋ７が形成されている。この切欠部Ｋ７の奥部の左右方向の長さＳ１は、揺動片突出部先端部２６の左右方向の長さＳ２と略同一であり、少なくとも、長さＳ１は、長さＳ２以上の長さであり、揺動片突出部本体部２４の左右方向の長さＳ３未満となっている。つまり、長さＳ１が長さＳ２未満である場合には、揺動片突出部先端部２６が切欠部Ｋ７内に嵌合することができず、また、長さＳ１が長さＳ３以上の場合には、揺動片１８を揺動させた際に、揺動片突出部本体部２４が切欠部Ｋ７内に入り込んでしまい、揺動片突出部本体部２４が折曲片５４を押すことができなくなってしまう。つまり、切欠部Ｋ７は、「揺動片突出部先端部２６が嵌合し揺動片本体部２４が嵌合しない切欠部」である。
【００４７】
また、折曲片５４と揺動片１８の蓋部４６を閉状態でロックした状態（折曲片５４を正面部１４の内側に接するようにして蓋部４６を閉じるとともに、差込み片２８を差込み穴５６に挿通した状態）における位置関係は、図７に示すようであり、上下方向においては、揺動片突出部本体部２４の下端は、切欠部Ｋ７の奥側の辺部Ｋ７１と略一致し、揺動片突出部先端部２６の下端は、折曲片５４の蓋板部４８と反対側の辺部５４ａよりも若干下方に位置している。なお、揺動片１８を揺動させた際に、揺動片突出部本体部２４が折曲片５４を押すことができるように、少なくとも、揺動片突出部本体部２４の下端（先端）は、折曲片５４の辺部５４ａよりも上側とする。また、揺動片突出部先端部２６が切欠部Ｋ７に嵌合するように、少なくとも、揺動片突出部先端部２６の下端（先端）が、切欠部Ｋ７の辺部Ｋ７１より下方位置にある（つまり、切欠部Ｋ７の奥側の端部よりも下方位置にある）必要がある。また、より良好に、揺動片突出部本体部２４の下端が折曲片５４を内側に押すとともに、揺動片突出部先端部２６が切欠部Ｋ７に嵌合して折曲片５４を上方に押し上げることができるように、揺動片突出部本体部２４の下端は、切欠部Ｋ７の辺部Ｋ７１の位置と同じ又は辺部Ｋ７１の位置よりも下方で、かつ、折曲片５４の辺部５４ａよりも上方であるとするのが好ましい。
【００４８】
また、左右方向においては、折曲片５４の切欠部Ｋ７と揺動片突出部先端部２６とが略一致するようになっている。
【００４９】
また、底面部６０は、片部６２と、片部６４と、片部６６と、片部６８とを有している。
【００５０】
片部６２は、右側面部１２の下端から折れ線を介して連設され、台形形状（両側の側辺のうち一方の側辺が右側面部１２の下辺に対して直角の台形形状）の先端に略方形状を連設した形状を呈している。また、片部６４は、正面部１４の下端から折れ線を介して連設され、方形状の先端側において略方形状の切欠部を形成した形状を呈している。また、片部６６は、左側面部３０の下端から折れ線を介して連設され、片部６２に対して対称（線対称）の形状を呈している。また、片部６８は、背面部３２の下端から折れ線を介して連設され、台形形状（両側の側辺が背面部３２の下辺に対して傾斜した台形形状）の先端に略方形状を連設した形状を呈している。このような底面部６０は、Ｂ式底組みタイプと呼ばれていて、アメリカンロック又は地獄底とも呼ばれている。
【００５１】
上記構成の包装箱５の使用状態について説明する。まず、蓋部４６を閉状態でロックするには、折曲片５４を正面部１４の内側に接するようにして蓋部４６を閉じるとともに、差込み片２８を切込みＫ５により形成された差込み穴５６に挿通する。蓋部４６を閉状態でロックした状態は、図１、図２、図７、図１０（ａ）に示すようになり、折曲片５４、その全体が正面部１４と揺動片１８の内側に隠れた状態となっている。
【００５２】
次に、蓋部４６が閉状態でロックされた包装箱５において蓋部４６を開ける場合の操作及び作用について説明する。
【００５３】
まず、揺動片１８の上端に突出して設けられた突出部２０に指を当てて揺動片１８の上端を外側に揺動させて差込み片２８を差込み穴５６から引き出す。
【００５４】
揺動片１８の上端を外側に揺動させると、揺動片１８は、折れ線Ｃ１、Ｃ２を中心に回転するので、これに伴い、揺動片突出部２２は、折れ線Ｃ１、Ｃ２を回動中心として、その下端が内側（背面側）に回動する。つまり、折れ線Ｃ１、Ｃ２が、「第１切込み群の各切込みと揺動片突出部形成用の切込みの端部間に横方向に設けられる折れ線」に当たる。
【００５５】
すると、図１０（ｂ）に示すように、揺動片突出部本体部２４が折曲片５４の外側の面を内側に押すとともに、揺動片突出部先端部２６が切欠部Ｋ７に嵌合して、折曲片５４を上方に押すので、蓋部４６が上方に回動していく。図１０（ｂ）の状態においては、図８の状態となる。
【００５６】
そして、揺動片１８を回転させるに従い、図１０（ｃ）に示すように、折曲片５４が押し上げられていき、揺動片１８を最初の状態（図１０（ａ）の状態）から９０度より大きく回転させることにより、図１０（ｄ）に示すように、折曲片５４の下端は揺動片１８の回転中心（折れ線Ｃ１、Ｃ２）の位置よりも上方に押し上げることができる。図１０（ｄ）の状態においては、図９の状態となる。
【００５７】
以上のように、揺動片突出部本体部２４の下端が折曲片５４の外側の面を押した状態で、揺動片突出部先端部２６が切欠部Ｋ７に嵌合して折曲片５４を押し上げていくので、折れ線Ｃ１、Ｃ２と揺動片突出部本体部２４の先端までの長さＳ４のストロークで折曲片５４を押し上げ、杆の原理で小さな力で折曲片５４を押し上げることができる。特に、揺動片１８を最初の状態から９０度よりも大きく回転させることにより、長さＳ４のストロークで折曲片５４の下端は折れ線Ｃ１、Ｃ２の位置よりも上方に押し上げることができる。
【００５８】
よって、蓋部４６が大きく押し上げられるので、その後は、蓋部４６の突出部５０や半円形状の開口部Ｋ６による切欠部に指を係止して蓋部４６を回動させればよく、揺動片１８を回動させることにより蓋部４６の折曲片５４は大きく上方に押し上げられているので、小さな力で蓋部４６を回動させることができる。
【００５９】
つまり、仮に、揺動片突出部２２に揺動片突出部本体部２４が設けられておらず、揺動片本体１９の下端から揺動片突出部先端部２６のみが設けられている場合には、揺動片１８を回転させるに従い、折れ線Ｃ１、Ｃ２と切欠部Ｋ７の辺部Ｋ７１間の距離は短くなって（本実施例の場合には、該距離は長さＳ４に保たれる）、折曲片５４は上方に回動されるものの、折曲片５４を内側に押すことがなく、上記のように回転中心（折れ線Ｃ１、Ｃ２）から所定の長さ（上記の例では長さＳ４）を介した位置で押し上げることがないので、揺動片１８を回動させて折れ線Ｃ１、Ｃ２の位置まで押し上げることができても、それ以上上方に押し上げることはできない。
【００６０】
なお、本実施例の包装箱は、揺動片突出部本体部２４と揺動片突出部先端部２６によって二段に突出した形状ではなく、一段に突出した形状であっても、折曲片５４の下端を折れ線Ｃ１、Ｃ２の位置まで押し上げることは可能であるので、そのような構成としてもよい。
【００６１】
以上のように、本実施例の包装箱においては、いわゆるダブルロック式の包装箱において、小さな力でも容易に蓋部を開けることができ、高齢者等の力の弱い者でも容易に蓋部を開けることができる。
【符号の説明】
【００６２】
５  包装箱
１０  スリーブ状部
１２  右側面部
１４  正面部
１６  正面部本体
１８  揺動片
１９  揺動片本体
２０、５０  突出部
２１、５２  本体部
２２  揺動片突出部
２４  揺動片突出部本体部
２６  揺動片突出部先端部
２８  差込み片
３０  左側面部
３２  背面部
３４  糊代部
４０  上面部
４２、４４  フラップ部
４６  蓋部
４８  蓋板部
５０  折曲部
５２  本体部
５４  折曲片
６０  底面部
６２、６４、６６、６８  片部
【図１】
2011111204.tif 000003
【図２】
2011111204.tif 000004
【図３】
2011111204.tif 000005
【図４】
2011111204.tif 000006
【図５】
2011111204.tif 000007
【図６】
2011111204.tif 000008
【図７】
2011111204.tif 000009
【図８】
2011111204.tif 000010
【図９】
2011111204.tif 000011
【図１０】
2011111204.tif 000012
【図１１】
2011111204.tif 000013
【図１２】
2011111204.tif 000014
【図１３】
2011111204.tif 000015
【図１４】
2011111204.tif 000016
【手続補正書】
【提出日】平成21年11月30日(2009.11.30)
【手続補正１】
【補正対象書類名】図面
【補正対象項目名】図４
【補正方法】変更
【補正の内容】
【図４】
2011111204.tif 000017